(57)【要約】【課題】本発明は、極めて商品価値の高い画期的なヒンジ装置並びにヒンジ装置を用いた携帯式電子機器を提供することを目的とする。【解決手段】第一部材１に第二部材２を起伏回動自在に枢着するヒンジ装置であって、前記第二部材２を前記第一部材１に対して重合した閉塞状態から開放状態となるまで回動付勢する回動付勢部３と、この回動付勢部３が作動するよう操作する開放操作部４に付与した操作動力を前記回動付勢部３に伝達する動力伝達部５とを有し、前記開放操作部４を前記第一部材１の側部にして前記第二部材２との枢着部６よりも基端側の部位に設けたものである。【選択図】図１
2008291965.tif 000002
【特許請求の範囲】
【請求項１】
第一部材に第二部材を起伏回動自在に枢着するヒンジ装置であって、前記第二部材を前記第一部材に対して重合した閉塞状態から開放状態となるまで回動付勢する回動付勢部と、この回動付勢部が作動するよう操作する開放操作部に付与した操作動力を前記回動付勢部に伝達する動力伝達部とを有し、前記開放操作部を前記第一部材の側部にして前記第二部材との枢着部よりも基端側の部位に設けたことを特徴とするヒンジ装置。
【請求項２】
前記開放操作部は前記第一部材に回転自在に設けられる回転構造体であり、この開放操作部の回転と連動するギア体に前記回動付勢部が作動するよう作用する作用部を設けて、前記開放操作部に付与した操作動力を前記回動付勢部に伝達する前記動力伝達部を構成したことを特徴とする請求項１記載のヒンジ装置。
【請求項３】
前記回動付勢部に設けた被押圧部に対する押し込み操作により作動するように前記回動付勢部は構成されており、前記ギア体の回転により前記被押圧部に接近して押圧する作用部を前記ギア体に設けたことを特徴とする請求項２記載のヒンジ装置。
【請求項４】
前記作用部は前記ギア体の周面所定位置に突設され、ギア体の回転により前記被押圧部に接近して押圧するように構成したことを特徴とする請求項３記載のヒンジ装置。
【請求項５】
前記作用部が前記被押圧部に対して離反するように前記ギア体を回転付勢する付勢体を具備することを特徴とする請求項３，４のいずれか１項に記載のヒンジ装置。
【請求項６】
前記ギア体は前記開放操作部の回転体よりも径小であることを特徴とする請求項２〜５のいずれか１項に記載のヒンジ装置。
【請求項７】
第一部材に第二部材を起伏回動自在に枢着するヒンジ装置であって、前記第二部材を前記第一部材に対して重合した閉塞状態から開放状態となるまで回動付勢する回動付勢部と、この回動付勢部が作動するよう操作する開放操作部に付与した操作動力を前記回動付勢部に伝達する動力伝達部とを有し、前記開放操作部は前記第一部材に回転自在に設けられる回転構造体であり、この開放操作部の回転と連動するギア体に前記回動付勢部が作動するよう作用する作用部を設けて、前記開放操作部に付与した操作動力を前記回動付勢部に伝達する前記動力伝達部を構成したことを特徴とするヒンジ装置。
【請求項８】
上面に操作部を備えた本体部を前記第一部材とし、伏面にディスプレイ部を備えた重合部を前記第二部材とし、この本体部と重合部との端部同士を前記請求項１〜７のいずれか１項に記載のヒンジ装置によって枢着連結したことを特徴とするヒンジ装置を用いた電子機器。
【発明の詳細な説明】
【技術分野】
【０００１】
本発明は、例えば、第一部材と第二部材との基端部同士を枢着して、双方が重合した閉塞状態から第一部材に対して第二部材を所定角度（例えば１８０度近く）まで回動した開放状態に開閉できるヒンジ装置、並びにこのヒンジ装置を用いた例えば携帯電話やノート型パソコンなどの電子機器に関するものである。
【背景技術】
【０００２】
本出願人は、国際公開されたＷＯ ００／５０７８０公報に示すように、ワンタッチで本体部（例えば上面に操作部を備えた筐体）に対して重合部（例えば伏面にディスプレイ部を備えた筐体）が開放するヒンジ装置（以下、従来例）を開発した。
【０００３】
この従来例では、折り畳みタイプの携帯電話に適用した場合、このヒンジ装置に設けた解除操作部（押込ボタン）を指で押すだけで閉塞付勢されている例えばディスプレイ部が自動的に一挙に開放回動することになる。
【０００４】
【特許文献１】ＷＯ ００／５０７８０公報
【発明の開示】
【発明が解決しようとする課題】
【０００５】
この自動開放機能を果たす従来例は、閉塞付勢機能を果たしながらも、ワンタッチで自動開放する構造を実現するものであるが、ワンタッチで例えば重合部が一挙に開放するため、その勢いによりしっかり手で支えていないと、即ち携帯式電話においては、例えば本体部をしっかり持っていないと、手から落下してしまうおそれがある。
【０００６】
具体的には、従来例は、前述した押込ボタンが本体部と重合部との枢着部の端部に突出した状態（枢着部及びヒンジ装置の同一軸延長線上）に設けられているが、この押込ボタンを押した際、この押込ボタンを押す指が回転する支点となり、重合部が開放した際の勢いで本体部もつられて回転することで落下してしまう場合がある。
【０００７】
この問題は、重合部の開放を良好にすべく開放付勢バネとして強いバネが使用される、薄型化の傾向にある本体部が持ちにくい（本体部の側部の面積が狭い）、大型ディスプレイ部の採用による重合部の大型化（開放した際の遠心力の増加）など、近年、落下し易い条件が増えてきていることから益々増加傾向にある。
【０００８】
本発明者は、前述した自動開放機能を果たすヒンジ装置に更なる実験・研究を重ね、その結果、極めて商品価値の高い画期的なヒンジ装置並びにヒンジ装置を用いた携帯式電子機器を開発した。
【課題を解決するための手段】
【０００９】
添付図面を参照して本発明の要旨を説明する。
【００１０】
第一部材１に第二部材２を起伏回動自在に枢着するヒンジ装置であって、前記第二部材２を前記第一部材１に対して重合した閉塞状態から開放状態となるまで回動付勢する回動付勢部３と、この回動付勢部３が作動するよう操作する開放操作部４に付与した操作動力を前記回動付勢部３に伝達する動力伝達部５とを有し、前記開放操作部４を前記第一部材１の側部にして前記第二部材２との枢着部６よりも基端側の部位に設けたことを特徴とするヒンジ装置に係るものである。
【００１１】
また、前記開放操作部４は前記第一部材１に回転自在に設けられる回転構造体であり、この開放操作部４の回転と連動するギア体７に前記回動付勢部３が作動するよう作用する作用部８を設けて、前記開放操作部４に付与した操作動力を前記回動付勢部３に伝達する前記動力伝達部５を構成したことを特徴とする請求項１記載のヒンジ装置に係るものである。
【００１２】
また、前記回動付勢部３に設けた被押圧部３ａに対する押し込み操作により作動するように前記回動付勢部３は構成されており、前記ギア体７の回転により前記被押圧部３ａに接近して押圧する作用部８を前記ギア体７に設けたことを特徴とする請求項２記載のヒンジ装置に係るものである。
【００１３】
また、前記作用部８は前記ギア体７の周面所定位置に突設され、ギア体７の回転により前記被押圧部３ａに接近して押圧するように構成したことを特徴とする請求項３記載のヒンジ装置に係るものである。
【００１４】
また、前記作用部８が前記被押圧部３ａに対して離反するように前記ギア体７を回転付勢する付勢体10を具備することを特徴とする請求項３，４のいずれか１項に記載のヒンジ装置に係るものである。
【００１５】
また、前記ギア体７は前記開放操作部４の回転体４Ａよりも径小であることを特徴とする請求項２〜５のいずれか１項に記載のヒンジ装置に係るものである。
【００１６】
また、第一部材１に第二部材２を起伏回動自在に枢着するヒンジ装置であって、前記第二部材２を前記第一部材１に対して重合した閉塞状態から開放状態となるまで回動付勢する回動付勢部３と、この回動付勢部３が作動するよう操作する開放操作部４に付与した操作動力を前記回動付勢部３に伝達する動力伝達部５とを有し、前記開放操作部４は前記第一部材１に回転自在に設けられる回転構造体であり、この開放操作部４の回転と連動するギア体７に前記回動付勢部３が作動するよう作用する作用部８を設けて、前記開放操作部４に付与した操作動力を前記回動付勢部３に伝達する前記動力伝達部５を構成したことを特徴とするヒンジ装置に係るものである。
【００１７】
また、上面に操作部11を備えた本体部を前記第一部材１とし、伏面にディスプレイ部12を備えた重合部を前記第二部材２とし、この本体部と重合部との端部同士を前記請求項１〜７のいずれか１項に記載のヒンジ装置によって枢着連結したことを特徴とするヒンジ装置を用いた電子機器に係るものである。
【発明の効果】
【００１８】
本発明は上述のように構成したから、前述した従来から提案されるものに比し、第一部材に対して第二部材を開放した際の勢いで落下させてしまうことが可及的に防止されることになるなど極めて商品価値の高い画期的なヒンジ装置となる。
【００１９】
また、請求項２記載の発明においては、少ない力で作動させることができ、第一部材に対する第二部材の開放操作が簡易且つ楽に行えることになるなど実用性に秀れたヒンジ装置となる。
【００２０】
また、請求項３，４記載の発明においては、簡易な構造で確実に回動付勢部を作動させることができることになるなど実用性に秀れたヒンジ装置となる。
【００２１】
また、請求項５記載の発明においては、常に回動付勢部を作動させる為の状態が得られることになるなど実用性に秀れたヒンジ装置となる。
【００２２】
また、請求項６記載の発明においては、より一層少ない力で楽に操作することができることになるなど実用性に秀れたヒンジ装置となる。
【００２３】
また、請求項７記載の発明においては、簡易な構造で確実に回動付勢部を作動させることができることになるなど実用性に秀れたヒンジ装置となる。
【００２４】
また、請求項８記載の発明においては、前述のような作用効果を発揮する画期的な電子機器を提供できることとなる。
【発明を実施するための最良の形態】
【００２５】
好適と考える本発明の実施形態を、図面に基づいて簡単に説明する。
【００２６】
本発明は、第一部材１に設けた開放操作部４を操作して回動付勢部３を作動させると、第二部材２はこの回動付勢部３により回動付勢され、第一部材１に対して重合した閉塞状態から開放状態となる。
【００２７】
ところで、本発明は、第二部材２を前記第一部材１に対して重合した閉塞状態から開放状態となるまで回動付勢する回動付勢部３と、この回動付勢部３が作動するよう操作する開放操作部４に付与した操作動力を前記回動付勢部３に伝達する動力伝達部５とを有し、前記開放操作部４を前記第一部材１の側部にして前記第二部材２との枢着部６よりも基端側の部位に設けた構成であり、前述した従来例のような第二部材２の開放時に落下させてしまうことを可及的に防止することができる。
【００２８】
即ち、本発明は、回動付勢部３を作動するよう操作する開放操作部４を該回動付勢部３と離れた位置から動力伝達部５を介して確実に操作し得る構成であり、よって、この開放操作部４を第一部材１の側部にして前記第二部材２との枢着部６よりも基端側の部位に設けることで、第二部材２が回動付勢部３の回動付勢により開放してその衝撃が第一部材１に掛かった際、前述した従来から提案されるものと異なり、第二部材２を開放させた際、第一部材１を回転させることなく該第一部材１を堅固に持った状態が得られることになるから、落下させてしまうことを可及的に防止することができる。
【実施例】
【００２９】
本発明の具体的な一実施例について図面に基づいて説明する。
【００３０】
本実施例は、ヒンジ装置Ｈを用いた電子機器として図１に示すような携帯電話に本発明を適用したもので、回路基板，電源などの電子部品をケース内に内装すると共に、上面１Ａに数字キーやファンクションキーなどを配列したキーボード機能を果たす操作部11を備えた板状の本体部（筐体）を第一部材１とし、この本体部１に重合して操作部11を覆う略同形状のディスプレイ部12を設けた板状の重合部（筐体）を第二部材２とし、この本体部１と重合部２とを起伏回動自在にヒンジ装置Ｈにより軸着連結した構成としている。
【００３１】
具体的には、重合部２を回動付勢する回動付勢部３を具備し、この回動付勢部３は前記本体部１に設けた開放操作部４の操作により作動して前記第二部材２を前記第一部材１に対して重合した閉塞状態から開放状態となるまで回動付勢するように構成されている。
【００３２】
回動付勢部３は、図２に図示したように重合部２の基端部に設けられる取付部２ａに嵌着する第一連結体３Ａと、この第一連結体３Ａに対して相対回動自在に連結され本体部１の基端部に設けられる取付部１ａに嵌着する第二連結体３Ｂとを有する。
【００３３】
この第一連結体３Ａの内部には、例えば本出願人が特許公開２００３−２０２０１３にて提案する回動付勢構造（図示省略）が内装されており、第二連結体３Ｂの端部から突出した被押圧部３ａを押圧することで回動付勢構造における回動阻止状態が解除されて作動して、第一連結体３Ａと第二連結体３Ｂを相対回動付勢するように構成されている。
【００３４】
従って、回動付勢部３に設けた被押圧部３ａに対する押し込み操作することで、第一連結体３Ａと第二連結体３Ｂが相対回動し、本体部１に対して重合部２が開放方向に回動することになる。
【００３５】
また、この回動付勢部３が作動するよう操作する開放操作部４を本体部１に設けるとともに、この開放操作部４に付与した操作動力を回動付勢部３に伝達する動力伝達部５を本体部１に設けている。
【００３６】
具体的には、開放操作部４は本体部１に回転自在に設けられる回転構造体であり、この開放操作部４の回転と連動するギア体７に回動付勢部３が作動するよう作用する作用部８を設けて、この開放操作部４に付与した操作動力を回動付勢部３に伝達する動力伝達部５を構成している。
【００３７】
開放操作部４は、図２〜４に図示したように適宜な金属製の部材で形成した円板状の回転体４Ａ（ダイヤル）を、本体部１に設けた配設部１ｂに回動自在に設けて構成されており、本体部１の側部１Ｂ（側面）にして重合部２との枢着部６となる取付部１ａよりも基端側の部位に設けた開口部１ｃから回転体４Ａの一部が突出する状態に設けられている。
【００３８】
この回転体４Ａは、本体部１を持つ手の指（例えば親指）で本体部１の前後方向いずれの方向（図５中Ａ−Ｂ方向）にも回転操作（正逆回転操作）することができる。
【００３９】
また、回転体４Ａは、前後方向いずれの方向に回動させた際に戻り付勢が生じるように構成されている。
【００４０】
具体的には、回転体４Ａは、図２〜４に図示したように配設部１ｂに設けられる付勢体10（中央が巻回されたへ字状のトーションバネ）の付勢に抗して前後方向いずれの方向に回動するように構成されている。
【００４１】
この付勢体10は、回転体４Ａの回転に連動する後述するギア体７の作用部８が回動付勢部３の被押圧部３ａに対して離反するようにギア体７を回転付勢するためのものである。
【００４２】
また、回転体４Ａの周面には歯４ａが並設されており、この歯４ａは後述するギア体７の歯７ａと噛み合うように形成されており、回転体４Ａとギア体７とは連動（歯車回動）するように構成されている。
【００４３】
この回転体４Ａの歯４ａは、ギア体７を回動させる機能は勿論、指で回転操作する際の滑り止め機能も発揮する。
【００４４】
ギア体７は、図２〜４に図示したように適宜な金属製の部材で形成した円柱状体であり、本体部１の配設部１ｂにして前記回転体４Ａと前記回動付勢部３との間の位置に回動自在に設けられている。
【００４５】
また、このギア体７の周面には歯７ａが並設されており、この歯７ａが前記回転体４Ａの歯に噛み合う状態で回転体４Ａの近傍位置に設けられている。
【００４６】
また、ギア体７は回転体４Ａよりも径小であり、そのギア比は１：２に設定されている。
【００４７】
また、ギア体７の周面にして前述した歯７ａが設けられる位置と異なる位置には、２つの突状部８が対向状態で設けられており、この各突状部８はギア体７の前後方向へのいずれの回転によっても回動付勢部３の被押圧部３ａに接近して押圧する作用部８として構成されている。
【００４８】
尚、回転体４Ａとギア体７との間にも他のギアを配した構成でも良く、また、回転体４Ａ及びギア体７夫々の歯４ａ，７ａの数やギア比などは適宜設計変更し得るものである。
【００４９】
以上のように、前述した構成の回転体４Ａとギア体７とで動力伝達部５が構成されている。
【００５０】
以上の構成からなる本実施例に係るヒンジ装置Ｈにおける本体部１に対する重合部２の開放操作について説明する。
【００５１】
先ず、操作部４に係る回転体４Ａを本体部１の前後方向いずれかの一方の方向に回転させる。この際、付勢体10の戻り付勢に抗しながらの回転操作となる。
【００５２】
この回転体４Ａの回転に連動してギア体７が回転すると、該ギア体７に設けた作用部８が回動付勢部３の被押圧部３ａに接近して押圧する。
【００５３】
このギア体７の作用部８により被押圧部３ａが押圧されることで、回動付勢部３は作動し、第一連結体３Ａと第二連結体３Ｂが相対回動し、本体部１に対して重合部２が開放方向に回動することになる（図６参照）。
【００５４】
その後、回転体４Ａを操作する指を離すと、付勢体10の戻り付勢により回転体４Ａは戻り回転するとともに、この回転体４Ａの回転に連動してギア体７も戻り回転することになる。この際、ギア体７の作用部８は被押圧部３ａから離反する方向へ移動して、被押圧部３ａの押圧状態が解除されることになる。
【００５５】
本実施例は上述のように構成したから、重合部２が回動付勢部３の回動付勢により開放してその衝撃が本体部１に掛かった際、前述した従来から提案されるものと異なり、重合部２を開放させた際、本体部１を回転させることなく該本体部１の左右側部を堅固に持った状態が得られることになるから、落下させてしまうことを可及的に防止することができる。
【００５６】
また、本実施例は、開放操作部４は本体部１に回転自在に設けられる回転構造体であり、この開放操作部４の回転と連動するギア体７に前記回動付勢部３が作動するよう作用する作用部８を設けて、前記開放操作部４に付与した操作動力を前記回動付勢部３に伝達する前記動力伝達部５を構成したから、ギアを利用した伝達構造故に、少ない力で円滑に作動させることができ、本体部１に対する重合部２の開放操作が簡易且つ楽に行えることになる。
【００５７】
また、本実施例は、作用部８が被押圧部３ａに対して離反するようにギア体７を回転付勢する付勢体10を具備するから、常に回動付勢部３を作動させる為の良好な状態が得られることになる。
【００５８】
また、本実施例は、ギア体７は開放操作部４の回転体４Ａよりも径小であるから、大小のギアを利用した伝達構造故により一層良好な伝達が行われることになる。
【００５９】
尚、本発明は、本実施例に限られるものではなく、各構成要件の具体的構成は適宜設計し得るものである。
【図面の簡単な説明】
【００６０】
【図１】本実施例の使用状態説明図である。
【図２】本実施例に係る要部を示す斜視図である。
【図３】本実施例に係る要部を示す斜視図である。
【図４】本実施例に係る要部を示す分解斜視図である。
【図５】本実施例に係る要部の動作説明図である。
【図６】本実施例に係る要部の動作説明図である。
【符号の説明】
【００６１】
１  第一部材
２  第二部材
３  回動付勢部
３ａ  被押圧部
４  開放操作部
４Ａ  回転体
５  動力伝達部
６  枢着部
７  ギア体
８  作用部
11  操作部
12  ディスプレイ部
【図１】
2008291965.tif 000003
【図２】
2008291965.tif 000004
【図３】
2008291965.tif 000005
【図４】
2008291965.tif 000006
【図５】
2008291965.tif 000007
【図６】
2008291965.tif 000008